(57)【要約】【課題】  ユーザは複製作業がある程度進行しているか、または複製中であるデータの内容が何であるかが分かり、データ複製及び再生が同時に行われることによってデータ複製作業の間の退屈感を取り除けるデジタルデータ複製装置及びその方法を提供する。【解決手段】  第1データ保存媒体に保存されたデータを第2データ保存媒体に複製するデータ複製装置において、前記第1データ保存媒体に保存されたデータを入力されて前記第2データ保存媒体に複製し、前記データからデータ複製進行程度を示すためのサンプルデータを抽出して出力する制御部と、前記制御部から出力された前記サンプルデータを入力されて復号化し、復号化されたサンプルデータを出力するデータ復号部と、を含むデジタルデータ複製装置である。【選択図】      図１
2004312743.tif 000002
【特許請求の範囲】
【請求項１】
第1データ保存媒体に保存されたデータを第2データ保存媒体に複製するデータ複製装置において、
前記第1データ保存媒体に保存されたデータを入力されて前記第2データ保存媒体に複製し、前記データからデータ複製進行程度を示すためのサンプルデータを抽出して出力する制御部と、
前記制御部から出力された前記サンプルデータを入力されて復号化し、復号化されたサンプルデータを出力するデータ復号部と、を含むことを特徴とするデータ複製装置。
【請求項２】
前記データが多数のキーピクチャーデータを含む動映像データであれば、
前記制御部はデータ複製進行程度によって前記動映像データから前記キーピクチャーデータを抽出して、前記データ復号部に出力することを特徴とする請求項１に記載のデータ複製装置。
【請求項３】
前記動映像データがMPEGデータであれば、
前記制御部は前記MPEGデータに含まれたイントラピクチャーデータを抽出して、前記データ復号部に出力することを特徴とする請求項２に記載のデータ複製装置。
【請求項４】
前記制御部は前記キーピクチャーの再生速度をデータ複製進行速度と同期化さるべく前記キーピクチャーデータを抽出して、前記データ復号部に出力することを特徴とする請求項２に記載のデータ複製装置。
【請求項５】
キーピクチャー配置情報保存部をさらに含み、
前記制御部は前記第1データ保存媒体にあらかじめ保存されたキーピクチャー配置情報を前記キーピクチャー配置情報保存部に出力すべく前記第1データ保存媒体を制御し、
前記キーピクチャー配置情報保存部から入力された前記キーピクチャー配置情報により、前記データから前記キーピクチャーデータを抽出して、前記データ復号部に出力することを特徴とする請求項２に記載のデータ複製装置。
【請求項６】
前記制御部はデータ複製進度情報を生成して出力し、
前記制御部から前記複製進度情報を入力され、前記データ復号部から前記復号化されたキーピクチャーを入力され、前記複製進度情報と前記復号化されたキーピクチャーとを合成して出力するグラフィック処理部をさらに含むことを特徴とする請求項２に記載のデータ複製装置。
【請求項７】
前記データが多数のピクチャーデータを含む動映像データであり、前記動映像データに含まれたあらゆるピクチャーがキーピクチャーであれば、
前記制御部はデータ複製進行程度によって前記動映像データからキーピクチャーデータを抽出して前記データ復号部に出力することを特徴とする請求項１に記載のデータ複製装置。
【請求項８】
前記制御部は前記キーピクチャーの再生速度をデータ複製進行速度と同期化さるべく前記キーピクチャーデータを抽出して前記データ復号部に出力することを特徴とする請求項７に記載のデータ複製装置。
【請求項９】
キーピクチャー配置情報保存部をさらに含み、
前記制御部は前記第1データ保存媒体にあらかじめ保存されたキーピクチャー配置情報を前記キーピクチャー配置情報保存部に出力すべく前記第1データ保存媒体を制御し、
前記キーピクチャー配置情報保存部から入力された前記キーピクチャー配置情報により、前記データから前記キーピクチャーデータを抽出して前記データ復号部に出力することを特徴とする請求項７に記載のデータ複製装置。
【請求項１０】
前記制御部はデータ複製進度情報を生成して出力し、
前記制御部から前記複製進度情報を入力され、前記データ復号部から前記復号化されたキーピクチャーを入力され、前記複製進度情報と前記復号化されたキーピクチャーとを合成して出力するグラフィック処理部をさらに含むことを特徴とする請求項７に記載のデータ複製装置。
【請求項１１】
前記データが多数の静止映像を含むデータであれば、
前記制御部はデータ複製進行程度によって前記データから静止映像を抽出して前記データ復号部に出力することを特徴とする請求項１に記載のデータ複製装置。
【請求項１２】
前記制御部は所定時間の間に所定数の静止映像を抽出して前記データ復号部に出力することを特徴とする請求項１１に記載のデータ複製装置。
【請求項１３】
基準時間生成部をさらに含み、
前記制御部は前記基準時間生成部から入力された基準時間によって所定時間の間に所定数の静止映像を抽出して、前記データ復号部に出力することを特徴とする請求項１２に記載のデータ複製装置。
【請求項１４】
前記制御部はデータ複製進度情報を生成して出力し、
前記制御部から前記複製進度情報を入力され、前記データ復号部から前記復号化された静止映像を入力され、前記複製進度情報と前記復号化された静止映像とを合成して出力するグラフィック処理部をさらに含むことを特徴とする請求項１１に記載のデータ複製装置。
【請求項１５】
前記データが音声データであれば、
前記制御部はデータ複製進行程度によって前記音声データからデータ複製進行程度を示すためのサンプルデータを抽出して、前記データ復号部に出力することを特徴とする請求項１に記載のデータ複製装置。
【請求項１６】
基準時間生成部をさらに含み、
前記制御部は前記基準時間生成部から入力された基準時間によって、所定の再生時間を有する単位サンプルデータを少なくとも１つ抽出して前記データ復号部に出力することを特徴とする請求項１５に記載のデータ複製装置。
【請求項１７】
前記データ復号部は多数の単位サンプルデータを入力されて前記多数の単位サンプルデータが復号化された多数のオーディオ信号を出力し、
前記データ復号部から前記復号化された多数のオーディオ信号を入力され、前記それぞれのオーディオ信号が連結される信号区間に発生するノイズを減少させるノイズ減少手段をさらに含むことを特徴とする請求項１６に記載のデータ複製装置。
【請求項１８】
第1データ保存媒体に保存されたデータを第2データ保存媒体に複製するデータ複製方法において、
(a)前記第1データ保存媒体に保存されたデータを読取る段階と、
(b)前記データを前記第2データ保存媒体に複製する段階と、
(c)データ複製進行程度によって前記データからデータ複製進行程度を示すためのサンプルデータを抽出して再生する段階と、を含むことを特徴とするデータ複製方法。
【請求項１９】
前記データが多数のキーピクチャーデータを含む動映像データであれば、
前記(c)段階はデータ複製進行程度によって前記動映像データから前記キーピクチャーデータを抽出して再生する段階であることを特徴とする請求項１８に記載のデータ複製方法。
【請求項２０】
前記動映像データがMPEGデータであれば、
前記(c)段階は前記MPEGデータに含まれたイントラピクチャーデータを抽出して再生する段階であることを特徴とする請求項１９に記載のデータ複製方法。
【請求項２１】
前記(c)段階は前記キーピクチャーの再生速度をデータ複製進行速度と同期化させてキーピクチャーを再生する段階であることを特徴とする請求項１９に記載のデータ複製方法。
【請求項２２】
前記(c)段階は前記第1データ保存媒体にあらかじめ保存されたキーピクチャー配置情報により、前記動映像データからキーピクチャーデータを抽出して再生する段階であることを特徴とする請求項１９に記載のデータ複製方法。
【請求項２３】
前記(c)段階は、
(c1)データ複製進行程度を示すために抽出されたキーピクチャーとデータ複製進度情報とを合成する段階をさらに含み、
前記合成された映像を再生する段階であることを特徴とする請求項１９に記載のデータ複製方法。
【請求項２４】
前記データが多数のピクチャーデータを含む動映像データであり、前記動映像データに含まれたあらゆるピクチャーがキーピクチャーであれば、
前記(c)段階はデータ複製進行程度によって前記動映像データからキーピクチャーデータを抽出して再生する段階であることを特徴とする請求項１８に記載のデータ複製方法。
【請求項２５】
前記(c)段階は前記キーピクチャーの再生速度をデータ複製進行速度と同期化させてキーピクチャーを再生する段階であることを特徴とする請求項２４に記載のデータ複製方法。
【請求項２６】
前記(c)段階は前記第1データ保存媒体にあらかじめ保存されたキーピクチャー配置情報により、前記動映像データからキーピクチャーデータを抽出して再生する段階であることを特徴とする請求項２４に記載のデータ複製方法。
【請求項２７】
前記(c)段階は、
(c1)データ複製進行程度を示すために抽出されたキーピクチャーとデータ複製進度情報とを合成する段階をさらに含み、
前記合成された映像を再生する段階であることを特徴とする請求項２４に記載のデータ複製方法。
【請求項２８】
前記データが多数の静止映像を含むデータであれば、
前記(c)段階はデータ複製進行程度によって前記データから静止映像を抽出して再生する段階であることを特徴とする請求項１８に記載のデータ複製方法。
【請求項２９】
前記データが多数の静止映像を含むデータであれば、
前記(c)段階は所定時間の間に所定数の静止映像を抽出して再生する段階であることを特徴とする請求項２８に記載のデータ複製方法。
【請求項３０】
前記(c)段階は、
(c1)データ複製進行程度を示すために抽出された静止映像とデータ複製進度情報とを合成する段階をさらに含み、
前記合成された映像を再生する段階であることを特徴とする請求項２８に記載のデータ複製方法。
【請求項３１】
前記データが音声データであれば、
前記(c)段階はデータ複製進行程度によって前記音声データからデータ複製進行程度を示すためのサンプルデータを抽出して再生する段階であることを特徴とする請求項１８に記載のデータ複製方法。
【請求項３２】
前記(c)段階は所定再生時間を有する単位サンプルデータを少なくとも１つ抽出して再生する段階であることを特徴とする請求項３１に記載のデータ複製方法。
【請求項３３】
前記(c)段階は、
(c1)多数の単位サンプルデータを復号化し、復号化された多数のオーディオ信号を出力する段階と、
(c2)前記それぞれのオーディオ信号が連結される信号区間に発生するノイズを減少させる段階と、
(c3)ノイズが減少されたオーディオ信号を再生する段階と、を含むことを特徴とする請求項３１に記載のデータ複製方法。
【請求項３４】
第1データ保存媒体に保存されたデータを第2データ保存媒体に複製するデータ複製方法において、
(a)前記第1データ保存媒体に保存されたデータを読取る段階と、
(b)前記データを前記第2データ保存媒体に複製する段階と、
(c)データ複製進行程度によって前記データからデータ複製進行程度を示すためのサンプルデータを抽出して再生する段階とを含むことを特徴とするデータ複製方法を実現するためのプログラムを記録したコンピュータ可読記録媒体。
【請求項３５】
データ再生装置において、
データ保存のための第1保存媒体と、
データ保存のための第2保存媒体と、
前記第1保存媒体から前記第2保存媒体へのデータ複製を制御し、前記データ複製過程に相応して前記データの所定部分を抽出する制御部と、
前記データの前記所定部分を復号するデータ復号部と、を含むことを特徴とする装置。
【請求項３６】
前記制御部は複製する前記データの大きさと、媒体の記録及び再生速度に基づいて前記第1保存媒体及び前記第2保存媒体のうち選択された１つの媒体の記録及び再生速度に基づいてデータ複製進度を示すグラフ情報を前記複製するデータから抽出して出力することを特徴とする請求項３５に記載の装置。
【請求項３７】
前記データの前記所定部分及び前記データ複製進度を示すグラフ情報を入力され、前記データ複製過程と同期化して、前記データの前記所定部分及び前記データ複製進度を示すグラフ情報を出力するディスプレーをさらに含むことを特徴とする請求項３６に記載の装置。
【請求項３８】
前記データは動映像データであり、前記制御部は前記動映像データからキーピクチャーデータを抽出することを特徴とする請求項３７に記載の装置。
【請求項３９】
前記データはMPEGデータであり、前記制御部は前記MPEGデータからI-ピクチャーだけを抽出することを特徴とする請求項３７に記載の装置。
【請求項４０】
前記データは静止映像データであり、前記制御部は前記静止映像データに含まれたそれぞれの静止映像に対応して所定数の静止映像データを抽出することを特徴とする請求項３７に記載の装置。
【請求項４１】
前記所定数の静止映像データ及び前記データ複製進度を示すグラフ情報を入力され、前記データ複製過程と同期化して前記所定数の静止映像データ及び前記データ複製進度を示すグラフ情報を出力するディスプレーをさらに含むことを特徴とする請求項４０に記載の装置。
【請求項４２】
前記データは音声データであり、前記制御部は前記音声データから所定量の音声サンプルデータを抽出することを特徴とする請求項３６に記載の装置。
【請求項４３】
前記所定量の音声サンプルデータに含まれたノイズ成分を減少させるノイズフィルターをさらに含むことを特徴とする請求項４２に記載の装置。
【請求項４４】
ノイズ成分が減少された前記所定量の音声サンプルデータを前記データ複製過程と同期化して再生するスピーカーをさらに含むことを特徴とする請求項４３に記載の装置。
【請求項４５】
前記データ複製進度を示すグラフ情報を前記データ複製過程と同期化して出力するディスプレーをさらに含むことを特徴とする請求項４４に記載の装置。
【請求項４６】
基準時間を生成する基準時間生成部をさらに含み、
前記制御部は前記基準時間に基づいて前記所定量の音声サンプルデータを抽出することを特徴とする請求項４４に記載のデータ複製装置。
【請求項４７】
前記制御部は前記基準時間に基づいて多数の所定量の音声サンプルデータを前記データ複製過程と同期化して抽出することを特徴とする請求項４６に記載の装置。
【請求項４８】
前記第1保存媒体はハードディスク及び光保存媒体のうち１つであり、前記第2保存媒体は前記ハードディスク及び前記光保存媒体のうち他の１つであることを特徴とする請求項３６に記載の装置。
【発明の詳細な説明】
【技術分野】
【０００１】
本発明はデジタルデータ複製装置及びその方法に係り、特にデジタルデータの複製状況をユーザに効率よく示すデジタルデータ複製装置及びその方法に関する。
【背景技術】
【０００２】
半導体及びデジタルデータ保存媒体に関する技術の発展につれて、従来のアナログ方式のデータ記録/再生装置に代わってデジタル方式のデータ記録/再生装置が広く普及されている。
【０００３】
デジタル方式のデータ記録/再生装置はアナログ方式またはデジタル方式のテレビ信号などのデータをデジタル方式に圧縮して保存し、ユーザが再生を希望すれば、保存されたデータを再び復号化してテレビやモニタなどのディスプレー装置を通じて再生する。
【０００４】
最近にはデータ保存媒体としてハードディスクと高容量の着脱式保存媒体が共に装着されたデジタルビデオ記録/再生装置が多様なメーカーを通じて市場に出ている。
【０００５】
着脱式データ保存媒体としては、CD-R、CD-RW、DVD-R、DVD-RW、DVD+R、DVD-RAM及びDVD+RWのような光記録媒体とメモリーカードなどがある。
【０００６】
大体、二種のデータ保存媒体が共に装着されたデジタルビデオ記録/再生装置は１つのデータ保存媒体に記録されたデータを他の１つのデータ保存媒体に複製する機能を備える。
【０００７】
しかし、従来のデジタルビデオ記録/再生装置は、データ複製動作のうち、データ複製作業の進度を示すパーセント値及びグラフであり、複製作業終了までの残余時間などの数値、文字及びグラフなどを用いて画面を通じてユーザにデータ複製作業の進度を示すのが全てである。
【発明の開示】
【発明が解決しようとする課題】
【０００８】
従って、本発明が解決しようとする技術的課題は、データ複製作業と共にユーザに複製中のデータの内容をデータ複製作業進度によって再生することによってユーザにデジタルデータの複製状況をより効率よく示すデジタルデータ複製装置及びその方法を提供するところにある。
【課題を解決するための手段】
【０００９】
前記課題を達成するために本発明に係るデジタルデータ複製装置は、第1データ保存媒体に保存されたデータを第2データ保存媒体に複製するデータ複製装置において、前記第1データ保存媒体に保存されたデータを入力されて前記第2データ保存媒体に複製し、前記データからデータ複製進行程度を示すためのサンプルデータを抽出して出力する制御部と、前記制御部から出力された前記サンプルデータを入力されて復号化し、復号化されたサンプルデータを出力するデータ復号部を含む。
【００１０】
もし、前記データが多数のキーピクチャーデータを含む動映像データであれば、前記制御部はデータ複製進行程度によって前記動映像データから前記キーピクチャーデータを抽出して前記データ復号部に出力することが望ましい。
【００１１】
もし、前記データが多数のピクチャーデータを含む動映像データであり、前記動映像データに含まれたあらゆるピクチャーがキーピクチャーであれば、前記制御部はデータ複製進行程度によって前記動映像データからキーピクチャーデータを抽出して前記データ復号部に出力することが望ましい。
【００１２】
また、前記制御部は前記キーピクチャーの再生速度をデータ複製進行速度と同期化さるべく前記キーピクチャーデータを抽出して前記データ復号部に出力することが望ましい。
【００１３】
また、本発明によるデジタルデータ複製装置は、キーピクチャー配置情報保存部をさらに含み、前記制御部は前記第1データ保存媒体にあらかじめ保存されたキーピクチャー配置情報を前記キーピクチャー配置情報保存部に出力すべく前記第1データ保存媒体を制御し、前記キーピクチャー配置情報保存部から入力された前記キーピクチャー配置情報により、前記データから前記キーピクチャーデータを抽出して前記データ復号部に出力することが望ましい。
【００１４】
また、前記制御部はデータ複製進度情報を生成して出力し、前記制御部から前記複製進度情報を入力され、前記データ復号部から前記復号化されたキーピクチャーを入力され、前記複製進度情報と前記復号化されたキーピクチャーとを合成して出力するグラフィック処理部をさらに含むことが望ましい。
【００１５】
もし、前記データが多数の静止映像を含むデータであれば、前記制御部はデータ複製進行程度によって前記データから静止映像を抽出して前記データ復号部に出力することが望ましく、前記制御部は所定時間の間に所定数の静止映像を抽出して前記データ復号部に出力することがさらに望ましい。
【００１６】
もし、前記データが音声データであれば、前記制御部はデータ複製進行程度によって前記音声データからデータ複製進行程度を示すためのサンプルデータを抽出して前記データ復号部に出力することが望ましく、前記データが音声データである場合、基準時間生成部をさらに含み、前記制御部は前記基準時間生成部から入力された基準時間によって、所定再生時間を有する単位サンプルデータを少なくとも１つ抽出して前記データ復号部に出力することが望ましい。
【００１７】
また、前記データ復号部は多数の単位サンプルデータを入力されて、前記多数の単位サンプルデータが復号化された多数のオーディオ信号を出力し、前記データ復号部から前記復号化された多数のオーディオ信号を入力され、前記それぞれのオーディオ信号が連結される信号区間で発生するノイズを減少させるノイズ減少手段をさらに含むことが望ましい。
【００１８】
前記課題を達成するための本発明によるデジタルデータ複製方法は、第1データ保存媒体に保存されたデータを第2データ保存媒体に複製するデータ複製方法において、(a)前記第1データ保存媒体に保存されたデータを読取る段階と、(b)前記データを前記第2データ保存媒体に複製する段階と、(c)データ複製進行程度によって前記データからデータ複製進行程度を示すためのサンプルデータを抽出して再生する段階と、を含む。
【００１９】
もし、前記データが多数のキーピクチャーデータを含む動映像データであれば、前記(c)段階はデータ複製進行程度によって前記動映像データから前記キーピクチャーデータを抽出して再生する段階であることが望ましい。
【００２０】
もし、前記データが多数のピクチャーデータを含む動映像データであり、前記動映像データに含まれたあらゆるピクチャーがキーピクチャーであれば、前記(c)段階はデータ複製進行程度によって前記動映像データからキーピクチャーデータを抽出して再生する段階であることが望ましい。
【００２１】
また、前記(c)段階は、前記キーピクチャーの再生速度をデータ複製進行速度と同期化させてキーピクチャーを再生する段階であることが望ましい。また、前記(c)段階は前記第1データ保存媒体にあらかじめ保存されたキーピクチャー配置情報によって、前記動映像データからキーピクチャーデータを抽出して再生する段階であることがさらに望ましい。
【００２２】
もし、前記データが多数の静止映像を含むデータであれば、前記(c)段階はデータ複製進行程度によって前記データから静止映像を抽出して再生する段階であることが望ましい。
【００２３】
また、前記データが多数の静止映像を含むデータであれば、前記(c)段階は所定時間の間に所定数の静止映像を抽出して再生する段階であることがさらに望ましい。
【００２４】
しかし、もし前記データが音声データであれば、前記(c)段階はデータ複製進行程度によって前記音声データからデータ複製進行程度を示すためのサンプルデータを抽出して再生する段階であることが望ましく、前記(c)段階は所定再生時間を有する単位サンプルデータを少なくとも１つ抽出して再生する段階であることがさらに望ましい。
【００２５】
もし、前記データが音声データであれば、前記(c)段階は、(c1)多数の単位サンプルデータを復号化し、復号化された多数のオーディオ信号を出力する段階と、(c2)前記それぞれのオーディオ信号が連結される信号区間で発生するノイズを減少させる段階と、(c3)ノイズが減少したオーディオ信号を再生する段階と、を含むことがさらに望ましい。
【発明の効果】
【００２６】
前述したように、本発明に係るデジタルデータ複製装置及びその方法は、他のデータ保存媒体への複製中に複製進行中であるデータからサンプルデータを抽出してユーザに再生することによって、ユーザは複製作業がある程度進行しているか、または複製中であるデータの内容が何であるかが分かり、データ複製及び再生が同時に行われることによってデータ複製作業の間の退屈さを取り除ける。
【発明を実施するための最良の形態】
【００２７】
以下、添付された図面を参照して本発明に係る望ましい実施例を詳細に説明する。
【００２８】
図1は、本発明の望ましい実施例に係るデジタルデータ複製装置のブロック図である。図1を参照すれば、デジタルデータ複製装置は第1データ保存媒体110、制御部130、第2データ保存媒体150及びデータ復号部170を含む。
【００２９】
第1データ保存媒体110は第2データ保存媒体150に複製される原本データを保存する。第1データ保存媒体110は多様な種類のデータ保存媒体になりうるが、本実施例で第1データ保存媒体110はデジタルデータ複製装置に内蔵されたハードディスクである。
【００３０】
第2データ保存媒体150も多種のデータ保存媒体になりうる。本実施例で第2データ保存媒体150は光記録媒体として着脱式データ保存媒体である。
【００３１】
逆に、第1データ保存媒体110が光記録媒体であり、第2データ保存媒体150がハードディスクである場合にももちろん可能である。
【００３２】
制御部130はユーザから第1データ保存媒体110に保存されたデータを第2データ保存媒体150に複製することを命令する複製命令が入力されれば、制御部130内に備えられたバッファ(図示せず)に第1データ保存媒体110に保存されたデータを読込む。
【００３３】
制御部130はバッファに保存されたデータを第2データ保存媒体150に伝達して保存し、バッファに保存されたデータのうち一部に該当するサンプルデータを抽出してデータ復号部170に出力する。
【００３４】
データ復号部170は制御部130から入力されたサンプルデータを所定復号方式によって復号化して再生装置に出力する。
【００３５】
したがって、複製作業進行中のデータから抽出されたサンプルデータをユーザに再生することによって、ユーザは現在どれくらい複製作業が進行しているか、複製中のデータの内容が何であるかを明確に分かる。
【００３６】
以下では、動映像データ、静止映像データ及び音声データの３種のデータを各々複製する本発明に係るデジタルデータ複製装置の３つの実施例を添付した図2ないし図4を参照して具体的に説明する。
【００３７】
図2は、動映像データを複製する本発明に係るデジタルデータ複製装置のブロック図を示す。図2を参照すれば、デジタルデータ複製装置は、第1データ保存媒体210、キーピクチャー配置情報保存部220、制御部230、第2データ保存媒体250、データ復号部270及びグラフィック処理部290を含む。
【００３８】
通常、動映像は多様な符号化方式によって圧縮されて保存される。動映像符号化方式の種類はいろいろな基準によって分けられる。１つの基準としては、他の映像を用いて符号化されるか、復号化される映像の存否である。この際、他の映像を利用せずに符号化または復号化され、他の映像の符号化または復号化に用いられる映像をキーピクチャーという。
【００３９】
例えば、MPEG-2動映像符号化方式はGOP(グループオブピクチャ)概念を導入し、１つのGOPは少なくとも１つのI-ピクチャー(イントラピクチャ)と多数のB-ピクチャー(バイディレクショナリプレディクティブピクチャ)及びP-ピクチャー(プレディクティブピクチャ)を含む。符号化されたB-ピクチャー及びP-ピクチャーの復号時には、復号化されたI-ピクチャーを用いて動き補償を行って復号する一方、I-ピクチャーは他のピクチャーを利用せずにそれ自体を復号化することによって、１つの映像が再生されるのでI-ピクチャーはキーピクチャーに該当する。
【００４０】
一方、MJPEG(Motion  JPEG)のような動映像符号化方式では符号化されたそれぞれのピクチャーが全てキーピクチャーであって、ある符号化されたピクチャーの復号時に他のピクチャーを利用しない。
【００４１】
まず、図2及び図3を参照してMPEGのようにキーピクチャーではないピクチャーデータを含む動映像データを複製する本発明に係るデジタルデータ複製装置の動作を説明する。
【００４２】
第1データ保存媒体210は第2データ保存媒体250に複製される動映像データを保存する。第1データ保存媒体210に保存された動映像データはMPEG-2方式によって圧縮されたデータである。
【００４３】
制御部230はユーザから第1データ保存媒体210に保存された動映像データを第2データ保存媒体250に複製することを命令する複製命令が入力されれば、制御部230内に備えられたバッファ(図示せず)に第1データ保存媒体210に保存された動映像データを読込む。
【００４４】
また、制御部230は第1データ保存媒体210にあらかじめ保存されたキーピクチャー配置情報をキーピクチャー配置情報保存部220に出力すべく第1データ保存媒体210を制御する。
【００４５】
図3は、キーピクチャー配置情報の一例を示す図である。図3を参照すれば、キーピクチャー配置情報の先頭にはMPEG-2方式によって圧縮された動映像データに存在するGOPの数、全体動映像データの再生時間情報が記録される。
【００４６】
また、キーピクチャー配置情報には動映像データに存在する各GOPに対する情報が記録される。各GOPに対する情報は各GOPのサイズ、すなわちデータ量、各GOPを構成するフレームの数及び各GOPの最初のI-ピクチャーの位置とサイズ(データ量)情報を含む。
【００４７】
一方、あらゆるGOPの最初ピクチャーがI-ピクチャーになるように既に決められた場合にはキーピクチャー配置情報にGOPの最初のI-ピクチャーの位置に対する情報が含まれる必要がない。
【００４８】
制御部230はバッファに保存されたデータを第2データ保存媒体250に伝達する一方、キーピクチャー配置情報保存部220からキーピクチャーであるI-ピクチャーの位置情報が含まれたキーピクチャー配置情報を入力されて、バッファに保存されたデータのうちI-ピクチャーだけを抽出してデータ復号部270に出力する。
【００４９】
したがって、データ復号部270は第2データ保存媒体250に複製される全体動映像データを復号化してユーザに映像を再生する必要なくI-ピクチャーだけを復号化してユーザに再生する。
【００５０】
データ復号部270はMPEG-2方式によって符号化されたデータを復号化する装置であって、制御部230から入力されたI-ピクチャーを復号化してグラフィック処理部290に出力する。
【００５１】
データ保存媒体に保存されたデータを読取るか、データを記録する速度はMPEG動映像データを再生するために要求されるデータ供給速度条件に比べて数倍ないし数十倍速い。したがって、本発明と同様にデータ記録/再生装置に装着された２つのデータ保存媒体間にデータの高速複製を進行する場合、ディスプレー装置を通じて現在複製進行中の映像を再生してユーザに示すためには、あらゆる符号化されたピクチャーデータを復号化して再生することはできず、一部のピクチャーを選択して復号化せねばならない。
【００５２】
また、一部のピクチャーを選択して復号化すべきであれば、他のピクチャーを利用せずに復号化できるキーピクチャーを選択して復号化することが望ましい。
【００５３】
一方、制御部230は第2データ保存媒体250へのデータ複製速度によってバッファからI-ピクチャーデータを抽出してデータ復号部270に出力する。言い換えれば、制御部230はI-ピクチャーの再生速度をデータ複製進行速度と同期化させる。したがって、第2データ保存媒体250へのデータ複製速度がMPEGデータを復号化して再生する速度より速ければ、ディスプレー装置を通じて表示されるビデオもファーストフォワードモーションとなる。
【００５４】
一方、制御部230は複製対象であるMPEGデータの全体サイズと、第1データ保存媒体210及び第2データ保存媒体250のうち書込み速度または読取り速度が相対的に遅いものの読取り速度または書込み速度を基準として、予想される複製終了時点または複製終了までの残存時間、データ複製作業の進度を示すパーセント値及びデータ複製作業の進度を示すグラフなどの数値、文字及びグラフ等で表現される複製進度情報を生成する。制御部230は複製進度情報をグラフィック処理部290に出力する。
【００５５】
グラフィック処理部290はデータ復号部270から復号化されたI-ピクチャーを入力され、制御部230から複製進度情報を入力され、両者を合成し、合成された映像をディスプレー装置(図示せず)に出力する。
【００５６】
ユーザはディスプレー装置を通じて現在複製中のMPEGデータの内容を見られ、データ複製作業の進度を示す情報も見られる。
【００５７】
以下では、図2を参照してMJPEGのように符号化されたあらゆるピクチャーがキーピクチャーの動映像データを複製する本発明に係るデジタルデータ複製装置の動作を簡略に説明する。
【００５８】
MJPEGのように符号化されたあらゆるピクチャーがキーピクチャーの動映像データを複製化する場合の動作もMPEGデータを複製する場合と同一である。但し、複製対象データに含まれたピクチャーが全てキーピクチャーという点によってキーピクチャー配置情報保存部220に保存される情報はあらゆるピクチャーの位置情報となり、制御部230が復号化のためにサンプルデータを抽出する方法においてMPEGデータを複製する場合との差が存在する。
【００５９】
制御部230はバッファに保存されたデータを第2データ保存媒体250に伝達する一方、キーピクチャー配置情報保存部220から複製対象データに含まれたあらゆるピクチャーの位置情報を入力され、バッファに保存された多数のピクチャーのうち一部ピクチャーを抽出してデータ復号部270に出力する。
【００６０】
MJPEG方式により符号化されたピクチャーは他のピクチャーを利用せず、それ自体の符号化データだけでも復号化されうるので、バッファに保存されたいかなるピクチャーを復号化しても関係ない。
【００６１】
但し、制御部230はピクチャーの再生速度をデータ複製進行速度と同期化さるべくピクチャーデータを抽出してデータ復号部270に出力する。
【００６２】
以下では、図4を参照して多数の静止映像が圧縮された静止映像データを複製する本発明に係るデジタルデータ複製装置の動作を説明する。
【００６３】
図4は、静止映像データを複製する本発明に係るデジタルデータ複製装置を示すブロック図である。図4を参照すれば、デジタルデータ複製装置は、第1データ保存媒体310、基準時間生成部320、制御部330、第2データ保存媒体350、データ復号部370及びグラフィック処理部390を含む。
【００６４】
第1データ保存媒体310は、第2データ保存媒体350に複製される多数の静止映像が符号化された静止映像データを保存する。第1データ保存媒体310に保存された静止映像データは、例えば、JPEG方式によって圧縮されたデータである。
【００６５】
制御部330はユーザから第1データ保存媒体310に保存されたJPEGデータを第2データ保存媒体350に複製することを命令する複製命令が入力されれば、制御部330内に備わったバッファ(図示せず)に第1データ保存媒体310に保存されたJPEGデータを読込む。
【００６６】
制御部330は、バッファに保存されたデータを第2データ保存媒体350に伝達する一方、基準時間生成部320から基準時間を入力され、バッファから所定時間の間に所定数の静止映像データを抽出してデータ復号部370に出力する。
【００６７】
人間の視覚的特性を考慮してディスプレー装置を通じて単位時間当り表示する静止映像の数は制限する必要がある。例えば、1秒に多数枚の静止映像を画面を通じてユーザに示せば、ユーザは目に疲労感を感じるだけでなく、1枚の静止映像が表示される時間が非常に短くなって静止映像の内容を分別しにくくなる。したがって、1秒当り1枚程度の静止映像をディスプレー装置を通じて表示することが望ましい。
【００６８】
データ復号部370は、JPEG方式によって符号化された静止映像を復号化する装置であって、制御部330から入力された静止映像データを復号化してグラフィック処理部390に出力する。
【００６９】
一方、制御部330は複製対象のJPEGデータの全体サイズと、第1データ保存媒体310及び第2データ保存媒体350のうち書込み速度または読取り速度が相対的に遅いものの読取り速度または書込み速度を基準として、予想される複製終了時点または複製終了まで残存時間、データ複製作業の進度を示すパーセント値及びデータ複製作業の進度を示すグラフなどの数値、文字及びグラフなどで表現される複製進度情報を生成する。制御部330は複製進度情報をグラフィック処理部390に出力する。
【００７０】
グラフィック処理部390はデータ復号部370から復号化された静止映像を入力され、制御部330から複製進度情報を入力され、両者を合成し、合成された映像をディスプレー装置(図示せず)に出力する。
【００７１】
以下、図5を参照して音声信号が圧縮された音声データを複製する本発明に係るデジタルデータ複製装置の動作を説明する。
【００７２】
図5は、音声データを複製する本発明に係るデジタルデータ複製装置のブロック図を示す。図5を参照すれば、デジタルデータ複製装置は、第1データ保存媒体410、基準時間生成部420、制御部430、第2データ保存媒体450、データ復号部470、ノイズ減少手段480及びグラフィック処理部490を含む。
【００７３】
第1データ保存媒体410は第2データ保存媒体450に複製される音声データを保存する。
【００７４】
制御部430は、ユーザから第1データ保存媒体410に保存された音声データを第2データ保存媒体450に複製することを命令する複製命令が入力されれば、制御部430内に備えられたバッファ(図示せず)に第1データ保存媒体410に保存された音声データを読込む。
【００７５】
制御部430はバッファに保存された音声データを第2データ保存媒体450に伝達する一方、基準時間生成部420から基準時間を入力され、バッファから所定時間所定数の単位サンプルデータを抽出してデータ復号部470に出力する。
【００７６】
単位サンプルデータとは、所定再生時間分量に該当する１チャンク(chunk)の音声データを言う。
【００７７】
もし、10秒に亙って100秒分量の音声データが複製されており、単位サンプルデータの長さが5秒であれば、制御部430は複製対象である100秒分量の音声データのうちから任意の連続した5秒音声データ区間を２つ抽出してデータ復号部470に出力する。
【００７８】
データ復号部470は制御部430から入力された少なくとも１つの単位サンプルデータを復号化してノイズ減少手段480に出力する。
【００７９】
各単位サンプルデータがデータ復号部470で復号化されて出力された各音声信号の連結点で音声信号の不連続が発生し、したがって連結点での不一致は高周波ノイズを発生させる。
【００８０】
したがって、ノイズ減少手段480は各単位サンプルデータに対応して復号化された各音声信号の連結点で発生する高周波ノイズを減衰させるために音声信号連結点での信号大きさを減衰させる。
【００８１】
ノイズ減少手段480はノイズが減少された音声信号をスピーカー(図示せず)に出力してユーザに再生する。
【００８２】
一方、制御部430は複製対象である音声データの全体サイズと、第1データ保存媒体410及び第2データ保存媒体450のうちから書込み速度または読取り速度が相対的に遅いものの読取り速度または書込み速度を基準として、予想される複製終了時点または複製終了までの残存時間、データ複製作業の進度を示すパーセント値及びデータ複製作業の進度を示すグラフなどの数値、文字及びグラフなどで表現される複製進度情報を生成する。
【００８３】
制御部430は複製進度情報をグラフィック処理部490に出力し、グラフィック処理部490は複製進度情報をディスプレー装置(図示せず)に出力する。
【００８４】
もちろん、ユーザに複製進度情報を示していない場合、グラフィック処理部490及びディスプレー装置は不要である。
【００８５】
以下、本発明に係るデジタルデータ複製方法を説明する。
【００８６】
図6は、本発明に係るデジタルデータ複製方法を示すフローチャートである。
【００８７】
複製の対象となるデジタルデータとしては、動映像データ、静止映像データ及び音声データの何れでも良い。
【００８８】
まず、本発明に係るデジタルデータ複製方法を行うデジタルデータ複製装置は、ユーザから第1データ保存媒体に保存されたデータを第2データ保存媒体に複製することを命令する複製命令を入力される(第510段階)。
【００８９】
デジタルデータ複製装置は第1データ保存媒体に保存されたデータを読出す(第530段階)。
【００９０】
デジタルデータ複製装置は第1データ保存媒体から読出したデータを第2データ保存媒体に伝達して複製する(第550段階)。
【００９１】
データを複製する一方、ユーザに複製中であるデータの内容を再生するために複製中であるデータからサンプルデータを抽出して再生する(第570段階)。
【００９２】
第570段階は複製対象データの種類によって多様な方式で具現される。
【００９３】
例えば、複製対象データが動映像データである場合にはキーピクチャーデータをサンプルデータと決定して、キーピクチャーデータを復号化してユーザに再生する。この際、キーピクチャーデータに関する位置情報があらかじめ第1データ保存媒体に符号化された動映像データと共に保存されることが望ましい。
【００９４】
もし、複製対象データが静止映像データであれば、静止映像データの複製進行中に複製作業の進展状況により所定時間所定数の静止映像データを復号化してユーザに示す。もし、複製対象データが音声データであれば、複製対象の全体音声データの長さ及び既定の単位サンプルデータの長さを考慮して、音声データの複製中に適当な数の単位サンプルデータを復号化してスピーカーを通じてユーザに聞かせる。
【００９５】
一方、複製対象データが音声データであり、多数の単位サンプルデータを抽出して復号する場合、各単位サンプルデータに対応して再生された各音声信号の連結点では音声信号の不連続が発生して高周波ノイズを発生させる。
【００９６】
したがって、本発明に係るデジタルデータ複製方法は、複製対象データが音声データである場合には、高周波ノイズを減衰させるために音声信号連結点での信号大きさを減衰させるために高周波ノイズ減少段階をさらに含む。
【００９７】
一方、本発明に係るデジタルデータ複製方法は、複製対象のデータの全体サイズと、第1データ保存媒体及び第2データ保存媒体のデータ読取り速度または書込み速度を基準として、予想される複製終了時点または複製終了まで残存時間、データ複製作業の進度を示すパーセント値及びデータ複製作業の進度を示すグラフなどの数値、文字及びグラフなどで表現される複製進度情報をディスプレー装置を通じてユーザに表示する段階をさらに含みうる。
【００９８】
本発明はまた、コンピュータ可読記録媒体にコンピュータ可読コードとして具現できる。コンピュータ可読記録媒体は、コンピュータシステムによって読取れるデータが保存されるあらゆる種類の記録装置を含む。コンピュータ可読記録媒体の例としては、ROM、RAM、CD-ROM、磁気テープ、フロッピー（登録商標）ディスク、光データ保存装置などがあり、またキャリアウェーブ(例えば、インターネットを通じた伝送)の形に具現されることも含む。またコンピュータ可読記録媒体はネットワークに連結されたコンピュータシステムに分散され、分散方式でコンピュータ可読コードとして保存されて実行されうる。
【００９９】
今まで本発明についてその望ましい実施例を中心に説明した。本発明が属する技術分野で当業者ならば、本発明が本発明の本質的な特性から外れない範囲で変形された形に具現されることを理解できるであろう。したがって、開示された実施例は限定的な観点でなく、説明的な観点で考慮せねばならない。本発明の範囲は前述した説明でなく、特許請求の範囲に示されており、それと同等な範囲内にある全ての違いは本発明に含まれると解釈せねばならない。
【産業上の利用可能性】
【０１００】
本発明はデジタルデータ複製装置及びその方法に関するものであって、デジタル方式のデータ記録/再生装置に用いられる。
【図面の簡単な説明】
【０１０１】
【図１】本発明の一実施例に係るデジタルデータ複製装置のブロック図である。
【図２】本発明の一実施例に係る動映像データを複製するデジタルデータ複製装置のブロック図である。
【図３】キーピクチャー配置情報の一例を示す図である。
【図４】本発明の一実施例に係る静止映像データを複製するデジタルデータ複製装置のブロック図である。
【図５】本発明の一実施例に係る音声データを複製するデジタルデータ複製装置のブロック図である。
【図６】本発明の一実施例に係るデジタルデータ複製方法を示すフローチャートである。
【符号の説明】
【０１０２】
１１０  第1データ保存媒体
１３０  制御部
１５０  第2データ保存媒体
１７０  データ復号部
【図１】
2004312743.tif 000003
【図２】
2004312743.tif 000004
【図３】
2004312743.tif 000005
【図４】
2004312743.tif 000006
【図５】
2004312743.tif 000007
【図６】
2004312743.tif 000008